(57)【要約】【課題】表示装置の狭額縁化及び薄型化が可能なスピーカーボックスを提供する。【解決手段】スピーカーボックス１０は、表示部を備えるテレビジョン装置１００の額縁に沿って取り付けられ、スピーカー１と、インジケータ２と、テレビジョン装置１００を操作するリモートコントローラからのリモコン信号を受信するリモコン受光部３とを備えている。【選択図】図１
2014192768.tif 000002
【特許請求の範囲】
【請求項１】
表示部を備える表示装置の額縁に沿って取り付けられるスピーカーボックスであって、
少なくとも一つのスピーカーと、
インジケータと、
上記表示装置を操作するリモートコントローラからのリモコン信号を受信する受信手段とを備えていることを特徴とするスピーカーボックス。
【請求項２】
ｗｉｆｉ基板、３Ｄメガネ制御基板、液晶制御基板、映像信号処理基板、音声信号処理基板からなる群より選択される少なくとも１つの基板を備えていることを特徴とする請求項１に記載のスピーカーボックス。
【請求項３】
上記スピーカー、上記インジケータ及び上記受信手段は、
上記表示装置に上記スピーカーボックスを取り付けたときに、上記表示部と同一方向を向くことを特徴とする請求項１又は２に記載のスピーカーボックス。
【請求項４】
上記スピーカーボックスの長手方向に沿って、上記スピーカー、上記インジケータ及び上記受信手段が直線状に配置されていることを特徴とする請求項１から３のいずれか１項に記載のスピーカーボックス。
【請求項５】
請求項１〜４のいずれか１項に記載のスピーカーボックスを備えることを特徴とする表示装置。
【発明の詳細な説明】
【技術分野】
【０００１】
本発明は、スピーカーボックス及びそれを備える表示装置に関する。
【背景技術】
【０００２】
テレビジョン装置において、液晶表示部を採用することにより、液晶表示部の大きさに対し奥行きを薄くする薄型化又は狭額縁化が進み、画質も向上している。さらに、近年では、更なる薄型化及び狭額縁化が求められるとともに、テレビジョン装置の音質の向上も求められている。なお、スピーカーの高音質を維持するためには、スピーカーの容積を大きくとる必要がある。
【０００３】
ここで、特許文献１には、スピーカーボックスに収納されて筐体に取り付けられるスピーカーの取付方法であって、前記スピーカーを収納する複数の収納部同士を連結部材で連結して一体化させてスピーカーボックスを形成した後、前記筐体を取り付けることを特徴とするスピーカーの取り付け方法が記載されている。
【先行技術文献】
【特許文献】
【０００４】
【特許文献１】特開２００９−２６７８９１号公報（２００９年１１月１２日公開）
【発明の概要】
【発明が解決しようとする課題】
【０００５】
しかし、スピーカーを備えるテレビジョン装置の薄型化及び狭額縁化を進める場合、様々な課題が存在する。
【０００６】
一般的に、スピーカーはテレビジョン装置の下部に収納されるが、テレビジョン装置の下部には、リモコン受光部、電源表示等が配置され、それらが幅を取っている。さらに、テレビジョン装置の下部にスピーカーを設置した場合、狭額縁化を図る点で不利である。
【０００７】
ほかにも、テレビジョン装置の下部にスピーカーを収納する際、スピーカーボックスをさらに筐体で覆うとその分だけテレビジョン装置が厚くなり、薄型化を図る点で不利であるという問題がある。
【０００８】
また、上記特許文献１のスピーカーボックスを、表示部を備える表示装置に取り付けた場合であっても、当該表示装置にリモコン受信部、電源表示等が取り付けられているため、狭額縁化を図ることができないという問題がある。
【０００９】
本発明は、上記問題に鑑みてなされたものであり、音質がよく、表示装置の狭額縁化及び薄型化が可能なスピーカーボックス及びそれを備える表示装置を提供することを目的とする。
【課題を解決するための手段】
【００１０】
本発明の一態様に係るスピーカーボックスは、上記の課題を解決するために、表示部を備える表示装置の額縁に沿って取り付けられるスピーカーボックスであって、少なくとも一つのスピーカーと、インジケータと、上記表示装置を操作するリモートコントローラからのリモコン信号を受信する受信手段とを備えていることを特徴としている。
【発明の効果】
【００１１】
本発明に係るスピーカーボックスの一態様によれば、音質がよく、表示装置の狭額縁化及び薄型化が可能であるという効果を奏する。
【図面の簡単な説明】
【００１２】
【図１】本発明の一実施形態に係るスピーカーボックスを示す図である。
【図２】本発明の一実施形態に係る表示装置を示す図であり、（ａ）は表示装置の正面図、（ｂ）は表示装置の背面図、（ｃ）は表示装置の側面図、（ｄ）は表示装置の上面図である。
【図３】本発明の一実施形態に係る表示装置の背面の配線を示す図である。
【図４】本発明の一実施形態に係る表示装置を示す簡略図である。
【図５】本発明と異なる表示装置のバリエーションを示す簡略図である。
【発明を実施するための形態】
【００１３】
以下、本発明の実施の形態について、図１、２及び４を用いて詳細に説明する。図１は、本発明の一実施形態に係るスピーカーボックス１０を示す図である。図２は、本発明の一実施形態に係るテレビジョン装置１００を示す図であり、（ａ）はテレビジョン装置１００の正面図、（ｂ）はテレビジョン装置１００の背面図、（ｃ）はテレビジョン装置１００の側面図、（ｄ）はテレビジョン装置１００の上面図である。図４は、本発明の一実施形態に係るテレビジョン装置１００を示す簡略図である。
【００１４】
〔スピーカーボックス１０〕
図１、図２及び図４に示すように、本実施形態に係るスピーカーボックス１０は、二つのスピーカー１、インジケータ２、リモコン受光部（受信手段）３、３Ｄメガネ制御基板４及びｗｉｆｉ（登録商標）基板７を備えている。図２の（ａ）に示すように、二つのスピーカー１、インジケータ２、リモコン受光部３及び３Ｄメガネ制御基板４は、テレビジョン装置（表示装置）１００の表示部と同一方向を向いている。一方、図２の（ｂ）に示すように、ｗｉｆｉ基板７は、スピーカーボックス１０の背面に設けられている。
【００１５】
また、図１に示すように、スピーカーボックス１０は、スピーカー１が収納され、インジケータ２、リモコン受光部３及び３Ｄメガネ制御基板４が取り付けられた収納部と、板状の取り付け部とを有している。スピーカーボックス１０の収納部は、スピーカーボックス１０を筐体５に取り付けたときに、テレビジョン装置１００の表示部側から見て露出する部分である。一方、スピーカーボックス１０の取り付け部は、ｗｉｆｉ基板７を備え、筐体５の額縁に沿って取り付けられる部分である。なお、図４では、簡略化のため、スピーカーボックス１０の取り付け部を省略している。
【００１６】
以下、図２及び３を用いてテレビジョン装置１００について説明する。図３は、本発明の一実施形態に係るテレビジョン装置１００の背面の配線６を示す図である。
【００１７】
〔テレビジョン装置１００〕
テレビジョン装置（表示装置）１００は、スピーカーボックス１０の取り付け部を筐体５の額縁に沿って取り付けることにより構成される。また、テレビジョン装置１００において、スピーカー１、インジケータ２、リモコン受光部３、３Ｄメガネ制御基板４及びｗｉｆｉ基板７は、表示部を備える筐体５には設けられておらず、これらは全てスピーカーボックス１０に設けられている。そのため、スピーカーボックス１０を筐体５に取り付けることにより、テレビジョン装置１００にスピーカー１、インジケータ２等を取り付ける必要がなく、テレビジョン装置１００の薄型化及び狭額縁化が可能である。
【００１８】
さらに、テレビジョン装置１００を構成する筐体５の内部にスピーカーを設ける必要がないため、筐体５の内部に音がこもらない。よって、スピーカーボックス１０を備えるテレビジョン装置１００は、音質がよい。
【００１９】
（スピーカー１）
スピーカー１は、スピーカーボックス１０の両端に設けられており、かつ、スピーカーボックス１０に収納されている。スピーカー１は厚みを有しているため、図２の（ｃ）及び（ｄ）に示すように、スピーカーボックス１０において、スピーカー１を収納している部分は外側に突き出ている。
【００２０】
また、スピーカー１は、配線６を介して、テレビジョン装置１００内の回路基板と接続している。
【００２１】
（インジケータ２）
インジケータ２は、スピーカーボックス１０の正面に取り付けられており、テレビジョン装置１００の電源、録画等のオン・オフを示す部分である。例えば、インジケータ２が点灯しているときは、テレビジョン装置１００の電源がオンであること、テレビジョン装置１００が録画中であること等を示し、インジケータ２が点灯していないときは、テレビジョン装置１００の電源がオフであること、テレビジョン装置１００が録画中でないこと等を示す。インジケータ２としては、例えばＬＥＤを用いればよい。
【００２２】
また、インジケータ２は、スピーカーボックス１０に取り付けられた回路基板に搭載されている。インジケータ２が搭載された回路基板は、配線６を介して、テレビジョン装置１００内の回路基板と接続している。
【００２３】
（リモコン受光部３）
リモコン受光部３は、スピーカーボックス１０の正面に取り付けられており、テレビジョン装置１００を操作するリモートコントローラからのリモコン信号を受信するものである。
【００２４】
また、リモコン受光部３は、スピーカーボックス１０に取り付けられた回路基板に搭載されている。リモコン受光部３が搭載された回路基板は、配線６を介して、テレビジョン装置１００内の回路基板と接続している。なお、リモコン受光部３が搭載された回路基板は、インジケータ２が搭載された回路基板と同じであってもよく、異なっていてもよい。
【００２５】
（３Ｄメガネ制御基板４）
３Ｄメガネ制御基板４は、３Ｄメガネを制御する基板であり、スピーカーボックス１０の正面に取り付けられている。３Ｄメガネ制御基板４は、３Ｄメガネとの赤外線信号の送受信を行い、当該３Ｄメガネの制御（例えば、左右のシャッターの開閉）を行う。
【００２６】
（ｗｉｆｉ基板７）
ｗｉｆｉ基板７は、無線ＬＡＮ通信を行うための基板であり、ｗｉｆｉ基板７上には少なくとも一つのアンテナ（図示しない）が取り付けられ、スピーカーボックス１０の背面に取り付けられている。
【００２７】
ここで、ｗｉｆｉ基板をスピーカーボックス１０の正面に取り付けることにより、指向性を高めることができる。また、ｗｉｆｉ基板に取り付けるアンテナについては、所望の送受信感度が得られるように、その数又はアンテナ特性（指向性/無指向性）を選択することで、ｗｉｆｉ基板を、スピーカーボックス１０の任意の位置に設けることができる。本実施形態のように、ｗｉｆｉ基板７をスピーカーボックス１０の背面に取り付けた場合であっても、アンテナの数、指向特性、又は送受信感度を適宜選択することで実用上問題は無い。
【００２８】
なお、無線通信方式は、ｗｉｆｉに限定されず、他の無線通信方式を採用してもよい。他の無線通信方式としては、例えば、ワイヤレスＨＤＭＩ、ＵＷＢ、Ｂｌｕｅｔｏｏｔｈ（登録商標）等が挙げられる。
【００２９】
また、スピーカーボックス１０は、３Ｄメガネ制御基板４及びｗｉｆｉ基板７の他に、液晶制御基板、映像信号処理基板、音声信号処理基板からなる群より選択される少なくとも１つの基板を備えていてもよい。これにより、テレビジョン装置１００を構成する筐体５にこれら基板を取り付ける必要はなく、テレビジョン装置１００の薄型化が可能となる。
【００３０】
また、スピーカーボックス１０の長手方向に沿って、スピーカー１、インジケータ２及びリモコン受光部３及び３Ｄメガネ制御基板４が直線状に配置されている。これにより、スピーカーボックス１０をコンパクトにできる。さらに、スピーカーボックス１０を筐体５に取り付けたときに、テレビジョン装置１００の高さを抑えつつ、テレビジョン装置１００の大画面化が可能である。
【００３１】
また、スピーカー１、インジケータ２及びリモコン受光部３は、テレビジョン装置１００にスピーカーボックス１０を取り付けたときに、表示部と同一方向（正面方向）を向いている。これにより、スピーカー１の音質、インジケータ２の視認性及びリモコン信号の受信性を向上させることができる。
【００３２】
さらに、３Ｄメガネ制御基板４も、スピーカー１等と同様に、テレビジョン装置１００にスピーカーボックス１０を取り付けたときに、表示部と同一方向を向いている。これにより、３Ｄメガネの赤外線信号の受信性を向上させることができる。
【００３３】
スピーカーボックス１０は、テレビジョン装置１００からの取り外しが容易である。そのため、スピーカーボックス１０が備える各部品に異常が生じたとき、新しいスピーカーボックスと交換することが容易である。
【００３４】
なお、本発明に係る表示装置において、３Ｄ機能又はｗｉｆｉ機能は必須ではない。そのため、本発明に係るスピーカーボックスは、３Ｄメガネ制御基板又はｗｉｆｉ基板を備えていなくてもよい。
【００３５】
〔比較例〕
以下、図５を用いて本発明に対する比較例について説明した後、比較例に対する本実施形態に係る発明の有利な点について述べる。図５は、本発明と異なる表示装置のバリエーションを示す簡略図である。
【００３６】
（比較例１）
図５の（ａ）は、比較例であるテレビジョン装置２００の正面図であり、（ｂ）は、テレビジョン装置２００の側面図である。図５の（ａ）及び（ｂ）に示すように、テレビジョン装置２００の筐体１５に、表示部、二つのスピーカー１１、インジケータ１２、リモコン受光部１３及び３Ｄメガネ制御基板１４が取り付けられている。
【００３７】
このとき、スピーカー１１は、筐体１５に直接取り付けられているため、スピーカー１１からの音が筐体１５の内部にこもり、テレビジョン装置２００の音質が悪くなるという問題が生じる。
【００３８】
一方、本発明の一実施形態に係るテレビジョン装置１００では、筐体５ではなく、スピーカーボックス１０にスピーカー１が取り付けられている。そのため、テレビジョン装置１００の音質が悪くなることを防止できる。さらに、スピーカー１の自由度を大きくすることができる。
【００３９】
（比較例２）
図５の（ｃ）は、比較例であるテレビジョン装置３００の正面図であり、（ｄ）は、テレビジョン装置３００の側面図である。図５の（ｃ）及び（ｄ）に示すように、テレビジョン装置３００の筐体２５に表示部、インジケータ２２、リモコン受光部２３及び３Ｄメガネ制御基板２４が取り付けられ、筐体２５の額縁に沿ってスピーカーボックス２０が取り付けられている。そして、スピーカーボックス２０に二つのスピーカー２１が取り付けられている。
【００４０】
このとき、インジケータ２２、リモコン受光部２３などがスピーカーボックス２０と重ならないように、スピーカーボックス２０を筐体２５に取り付ける必要がある。そのため、テレビジョン装置３００は、上下方向に長くなるという問題が生じる。
【００４１】
一方、本発明の一実施形態に係るテレビジョン装置１００では、筐体５ではなく、スピーカーボックス１０にインジケータ２、リモコン受光部２及び３Ｄメガネ制御基板４が取り付けられている。そのため、テレビジョン装置１００は、テレビジョン装置３００と比較して大画面化が可能である。
【００４２】
（比較例３）
図５の（ｅ）は、比較例であるテレビジョン装置４００の正面図であり、（ｆ）は、テレビジョン装置４００の側面図である。図５の（ｅ）及び（ｆ）に示すように、テレビジョン装置４００の筐体３５に表示部、インジケータ３２、リモコン受光部３３及び３Ｄメガネ制御基板３４が取り付けられ、スピーカー３１を内蔵するスピーカーボックス３０が筐体３５に収納されている。
【００４３】
このとき、スピーカー３１がスピーカーボックス３０及び筐体３５の内部に設けられているため、テレビジョン装置４００の厚さが増してしまうという問題が生じる。
【００４４】
一方、本発明の一実施形態に係るテレビジョン装置１００では、スピーカー１を備えたスピーカーボックス１０が筐体５の外部に取り付けられている。そのため、テレビジョン装置１００の厚さを小さくすることができる。
【００４５】
（比較例４）
図５の（ｇ）は、比較例であるテレビジョン装置５００の正面図であり、（ｈ）は、テレビジョン装置５００の側面図である。図５の（ｇ）及び（ｈ）に示すように、テレビジョン装置５００の筐体４５に、表示部、スピーカー４１、インジケータ４２、リモコン受光部４３及び３Ｄメガネ制御基板４４が取り付けられており、スピーカー４１は下方向を向いている。
【００４６】
このとき、スピーカー４１が下方向を向いているため、テレビジョン装置５００の音質が悪いという問題が生じる。
【００４７】
一方、本発明の一実施形態に係るテレビジョン装置１００では、スピーカーボックス１０に取り付けられたスピーカー１が表示部と同一方向を向いている。そのため、テレビジョン装置１００の音の指向性は、テレビジョン装置５００の音の指向性よりも優れている。
【００４８】
〔まとめ〕
本発明の態様１に係るスピーカーボックスは、表示部を備える表示装置（テレビジョン装置１００）の額縁に沿って取り付けられるスピーカーボックスであって、少なくとも一つのスピーカーと、インジケータと、上記表示装置を操作するリモートコントローラからのリモコン信号を受信する受信手段（リモコン受光部３）とを備えている。
【００４９】
上記構成によれば、スピーカーボックスに、スピーカー、インジケータ及び受信手段が設けられているため、当該スピーカーボックスが取り付けられた表示装置にこれらを取り付ける必要はない。そのため、本発明の態様１に係るスピーカーボックスを用いて、表示装置の薄型化及び狭額縁化が可能である。
【００５０】
さらに、表示部を備える表示装置にスピーカーを設ける必要がないため、表示装置の内部にて音がこもらない。よって、本発明に係るスピーカーボックスを備える表示装置は、音質がよい。
【００５１】
なお、本発明において、便宜上、表示部を備える筐体にスピーカーボックスを取り付けたもの、又は、表示部を備える筐体を、「表示装置」とする。
【００５２】
本発明の態様２に係るスピーカーボックスは、ｗｉｆｉ基板、３Ｄメガネ制御基板、液晶制御基板、映像信号処理基板、音声信号処理基板、からなる群より選択される少なくとも１つの基板を備えている。
【００５３】
上記構成によれば、スピーカーボックスに取り付けられた基板を表示装置に取り付ける必要はない。そのため、本発明の態様２に係るスピーカーボックスを用いて、表示装置の更なる薄型化が可能である。
【００５４】
本発明の態様３に係るスピーカーボックスは、上記スピーカー、上記インジケータ及び上記受信手段（リモコン受光部３）は、上記表示装置（テレビジョン装置１００）に上記スピーカーボックスを取り付けたときに、上記表示部と同一方向を向く。
【００５５】
上記構成によれば、スピーカーの音質、インジケータの視認性及びリモコン信号の受信性を向上させることができる。
【００５６】
本発明の態様４に係るスピーカーボックスは、上記スピーカーボックスの長手方向に沿って、上記スピーカー、上記インジケータ及び上記受信手段（リモコン受光部３）が直線状に配置されている。
【００５７】
上記構成によれば、スピーカー、インジケータ及び受信手段が直線状に配置されているため、スピーカーボックスをコンパクトにできる。これにより、スピーカーボックスを取り付けた表示装置（テレビジョン装置１００）の高さを抑えつつ、表示装置の大画面化が可能である。
【００５８】
本発明の態様５に係る表示装置（テレビジョン装置１００）は、上記態様１から４のいずれか１つに係るスピーカーボックスを備える。
【００５９】
上記構成によれば、狭額縁化及び薄型化された表示装置を提供できる。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６１】
本発明に係るスピーカーボックスは、テレビジョン装置に取り付けて使用することができる。
【符号の説明】
【００６２】
１  スピーカー
２  インジケータ
３  リモコン受光部（受信手段）
４  ３Ｄメガネ制御基板
５  筐体
６  配線
７  ｗｉｆｉ基板
１０  スピーカーボックス
１１、２１、３１、４１  スピーカー
１２、２２、３２、４２  インジケータ
１３、２３、３３、４３  リモコン受光部
１４、２４、３４、４４  ３Ｄ眼鏡制御基板
１５、２５、３５、４５  筐体
２０、３０  スピーカーボックス
１００  テレビジョン装置（表示装置）
２００、３００、４００、５００  テレビジョン装置
【図１】
2014192768.tif 000003
【図２】
2014192768.tif 000004
【図３】
2014192768.tif 000005
【図４】
2014192768.tif 000006
【図５】
2014192768.tif 000007